(57)【要約】【目的】光源装置に用いられている光源が、仕様温度以上の高温で発光し続けるのを確実に防止できる内視鏡装置の光源制御装置を提供する。【構成】内視鏡本体のライトガイドファイバの入射端面に照明光を与える光源と、該光源からの光を反射して上記入射端面に与える、熱伝導性材料からなるランプリフレクターと、上記ランプリフレクターの外周面に常時接触する、熱伝導性材料からなる導熱接片と、該導熱接片の温度を検出する温度センサと、該温度センサの検出温度が所定温度を超えたとき上記光源への電力供給を遮断する制御手段と、を備えることを特徴とする内視鏡装置の光源制御装置。【選択図】      図５
2004283235.tif 000002
【特許請求の範囲】
【請求項１】
内視鏡本体のライトガイドファイバの入射端面に照明光を与える光源と、
該光源からの光を反射して上記入射端面に与える、熱伝導性材料からなるランプリフレクターと、
上記ランプリフレクターの外周面に常時接触する、熱伝導性材料からなる導熱接片と、
該導熱接片の温度を検出する温度センサと、
該温度センサの検出温度が所定温度を超えたとき上記光源への電力供給を遮断する制御手段と、
を備えることを特徴とする内視鏡装置の光源制御装置。
【請求項２】
請求項１記載の内視鏡装置の光源制御装置において、上記導熱接片が、弾性材料からなり、上記ランプリフレクターの外周面に弾性接触することにより、該ランプリフレクターを把持する弾性把持片である内視鏡装置の光源制御装置。
【請求項３】
請求項２記載の内視鏡装置の光源制御装置において、上記ランプリフレクターは、箱状のランプハウスに出し入れ可能に設けられ、該ランプハウスの一部に上記温度センサが取付けられ、上記ランプリフレクターの外周面に上記導熱接片が固定されている内視鏡装置の光源制御装置。
【請求項４】
請求項１乃至３のいずれか１項記載の内視鏡装置の光源制御装置において、上記導熱接片が上記ランプリフレクターの上部部分に接触している内視鏡装置の光源制御装置。
【請求項５】
請求項１乃至４のいずれか１項記載の内視鏡装置の光源制御装置において、上記光源が、キセノンランプまたはメタルハライドランプである内視鏡装置の光源制御装置。
【発明の詳細な説明】
【０００１】
【技術分野】
本発明は、光源が所定温度以上の高温で発光し続けるのを確実に防止する内視鏡装置の光源制御装置に関する。
【０００２】
【従来技術及びその問題点】
電子内視鏡は、導光部材としてのライトガイドファイババンドルを介して、電子内視鏡とは別体のプロセッサの内部に配設された光源装置に接続されている。この光源装置に内蔵されるランプとしては、キセノンランプやメタルハライドランプ等の照度の高いものが用いられるのが通常である（例えば、特許文献１）。そして、これらのランプは高温になりやすく、仕様温度以上の高温で発光し続けると、ランプの寿命が縮むとともに、プロセッサ内に配設された画像処理回路や光学部品など他の装置に悪影響を及ぼすおそれがある。そのため、従来からプロセッサ内にランプを冷却するためのファンを配設し、ランプが仕様温度以上にならないようにしていた。
【０００３】
しかし、ファンによる冷却は、外気温度やプロセッサの壁などの影響を受けやすく、必ずしもランプを効果的に冷却できるわけではないので、ランプが仕様温度以上で発光し続ける可能性があった。
【０００４】
【特許文献１】
特開平９−７４１６号公報
【０００５】
【発明の目的】
本発明は、光源装置に用いられている光源が、仕様温度以上の高温で発光し続けるのを確実に防止できる内視鏡装置の光源制御装置を提供することを目的とする。
【０００６】
【発明の概要】
本発明の内視鏡装置の光源制御装置は、内視鏡本体のライトガイドファイバの入射端面に照明光を与える光源と、該光源からの光を反射して上記入射端面に与える、熱伝導性材料からなるランプリフレクターと、上記ランプリフレクターの外周面に常時接触する、熱伝導性材料からなる導熱接片と、該導熱接片の温度を検出する温度センサと、該温度センサの検出温度が所定温度を超えたとき上記光源への電力供給を遮断する制御手段と、を備えることを特徴としている。
【０００７】
上記導熱接片が、弾性材料からなり、上記ランプリフレクターの外周面に弾性接触することにより、該ランプリフレクターを把持する弾性把持片であるのが好ましい。
【０００８】
さらに、上記ランプリフレクターは、箱状のランプハウスに出し入れ可能に設けられ、該ランプハウスの一部に上記温度センサが取付けられ、上記ランプリフレクターの外周面に上記導熱接片が固定されるのが実際的である。
【０００９】
光源及びランプリフレクターは、使用状態では光軸を水平方向に向けるのが普通であり、ランプリフレクターは、その上部が最も高温になりやすい。このため導熱接片はランプリフレクターの上部部分に接触しているのが好ましい。
【００１０】
上記光源としては、キセノンランプまたはメタルハライドランプを採用するのが一般的である。
【００１１】
【発明の実施の形態】
以下、本発明を電子内視鏡（内視鏡）１０に適用した一実施形態について説明する。
図１に示す電子内視鏡１０は、操作部１１と挿入部１２を有し、挿入部１２の先端部は、操作部１１に設けた湾曲操作装置１３の操作に応じて上下及び左右方向に湾曲される湾曲部１２ａとなっている。湾曲部１２ａ先端には、図示しない観察窓（対物窓）と照明光学系が設けられている。
操作部１１からはユニバーサルチューブ１４が延びており、このユニバーサルチューブ１４の先端に設けられたコネクタ部１４ａが、画像処理回路等が内蔵されたプロセッサ１５に接続されている。
コネクタ部１４ａには、プロセッサ１５の差込穴（図示略）に差し込み可能な光源差込用端部１６が突設されており、電子内視鏡１０の内部には、この光源差込用端部１６から照明光学系の直後にわたってライトガイドファイババンドル（ライトガイドファイバ）１７が配設されている。
【００１２】
プロセッサ１５の内部には光源装置１８が配設されている。
図５及び図６に示すように、光源装置１８は、ランプハウス１９とランプカートリッジ２０とからなるものである。
ランプハウス１９は金属板を折曲加工した、正面視略下向きコ字形をなすものであり、図示を省略したねじにより、その下端部が、プロセッサ１５の底板（図示略）に固定されている。さらに、ランプハウスの下部の四隅には水平な取付片１９ａが設けられており（図５参照）、各取付片にはねじ穴１９ｂが穿設されている。また、ランプハウス１９の上面には取付孔１９ｃが穿設されており、この取付孔１９ｃには、温度センサＳが嵌合固定されている。
【００１３】
ランプカートリッジ２０の構成は以下の通りである。
底板２１の前後両端部（図２のＸ方向を前後方向、Ｙ方向を左右方向、Ｚ方向を上下方向とする）に前板２２と後板２３とを立設し、前板２２と後板２３の上端同士を上板２４で結合することにより基枠２５が構成されており、底板２１の四隅には上下方向を向く貫通穴２１ａが穿設されている。前板２２には、正面視円形の大径開口２２ａが形成されており、後板２３には、この大径開口２２ａと同心をなすとともに、その径が大径開口２２ａより小さい小径開口２３ａと、小径開口２３ａの下方に位置する取付孔２３ｂとが穿設され、さらに、上板２４の上部には取付用開口２４ａが穿設されている。前板２２の後面には、大径開口２２ａの外周側に位置するようにして、周方向に等角度間隔で３個のねじ穴（図示略）が穿設されている。そして、金属板を折曲加工し、その後端部に当接片２６ａ、２７ａ、２８ａを形成した３個の弾性支持片（弾性把持片）２６、２７、２８の前端部の貫通穴（図示略）にねじ２９を挿通し、各ねじ２９をそれぞれ各ねじ穴に螺合することにより、３個の弾性支持片２６、２７、２８を前板２２に固定している。さらに、上部の弾性支持片２８（導熱接片）の前端部からは、取付用開口１９ｃを通って上板２４の上方に突出する接触片２８ｂが延出している。
【００１４】
正面視円形をなすとともに、垂直断面形状および水平断面形状が放物線状をなす金属製のランプリフレクター３０は、その内周面が反射鏡となっており、さらに、その後端部に正面視円形の挿通孔３０ａが穿設されている。このランプリフレクター３０は、その挿通孔３０ａの軸線と大径開口２２ａの軸線を一致させつつ、その前端面を前板２２の後面に当接し、かつ、各弾性支持片２６、２７、２８の当接片２６ａ、２７ａ、２８ａを、その外周面に弾性接触させることにより、基枠２５に着脱自在に取り付けられている。
【００１５】
底板２１には前後方向を向く有底の案内溝２１ｂが形成されており、さらに、この案内溝２１ｂの前端部には、底板２１を上下方向に貫通する取付穴２１ｃ（図５参照）が穿設されている。案内溝２１ｂには、水平片３１と垂直片３２とからなり、側面視でＬ字形をなすＸ方向調整部材３３の水平片３１が、Ｘ方向に移動自在、かつＹ方向及びＺ方向に移動不能に嵌合している。水平片３１には係合穴３１ａが穿設されており、垂直片３２には、円形孔３２ａと、上下方向を向く長穴３２ｂが上下に並べて穿設されている。さらに、底板２１の直下には、取付孔２１ｃと同心をなす第１の調整固定摘み３４が配設されており、その上面から突出する上向きの係合ピン３４ａが、取付孔２１ｃを通って、水平片３１の係合穴３１ａに嵌合している。第１の調整固定摘み３４の本体３４ｂと底板２１の間にはスプリングワッシャ３５と板ばね３６が介在しており、第１の調整固定摘み３４を締め付ける（本体３４ｂと底板２１の間隔を小さくする）と、Ｘ方向調整部材３３がＸ方向に移動不能となる。
さらに、水平片３１には左右一対の上下方向を向くねじ穴３１ｂが穿設されており、底板２１の該ねじ穴３１ｂと対応する位置には、ねじ穴３１ｂより大径の貫通穴（図示略）が穿設されている。そして、この貫通穴を通って両ねじ穴３１ｂに螺合された上下方向を向く調整ねじ３７の上端部が、水平片３１の上方に突出している。
【００１６】
Ｘ方向移動部材３３の垂直片３２の直前には、略左右方向を向くとともに金属等の導電性材料からなるランプ取付部３８と、該ランプ取付部３８から垂下する垂下片３９とを具備するＹＺ方向調整部材４０が位置している。この垂下片３９には、長穴３２ｂと対応する位置にねじ穴３９ａが、円形孔３２ａと対応する位置に係合穴３９ｂがそれぞれ穿設されている。さらに、ランプ取付部３８には、後向きかつ有底で、その内周面に雌ねじ溝が形成された取付用凹部３８ａが凹設されており、取付用凹部３８ａの後面には小径穴３８ｂが穿設されている。なお、図７に示すように（図２乃至図６では図示略）、ランプ取付部３８の取付用凹部３８ａが形成された部分の外周面には、外部電源（電力源）からの電力を供給するためのリード線Ｌ１が接続されている。図７に示すように、このリード線Ｌ１はランプ駆動回路に接続されており、ランプ駆動回路は制御回路（制御手段）と外部電源とにリード線Ｌ２、Ｌ３を介して接続され、さらに外部電源と制御回路がリード線Ｌ４を介して接続されている。
【００１７】
図５に示すように、垂直片３２の長穴３２ｂには固定ねじ４１が挿通しており、そのねじ部４１ａがねじ穴３９ａに螺合している。固定ねじ４１のねじ部４１ａの断面径は長穴３２ｂの（Ｙ方向の）幅とほぼ同じなので、ねじ部４１ａは長穴３２ｂ内をＹ方向には移動不能で、Ｚ方向には相対移動自在であるが、固定ねじ４１を締め付けて、その頭部４１ｂを垂直片３２の後面に圧接すると、ＹＺ方向調整部材４０はＸ方向調整部材３３に対してＺ方向にも移動不能となる。
【００１８】
さらに、後板２３の取付孔２３ｂ内には第２の調整固定摘み４２が配設されており、その前端から前方に突出する係合ピン４２ａが、垂直片３２の円形穴３２ａを挿通して、垂下片３９の係合穴３９ｂに嵌合している。第２の調整固定摘み４２の本体４２ｂと垂直片３２の間には、スプリングワッシャ４３と板ばね４４が介在している。垂直片３２の円形穴３２ａの径は係合ピン４２ａの断面径より大きいので、固定ねじ４１を緩めた状態で、第２の調整固定摘み４２を緩めると、ＹＺ方向調整部材４０は、固定ねじ４１の軸線を中心に、円形穴３２ａと係合ピン４２ａのクリアランスの範囲内でＹＺ平面内を揺動可能となる。一方、第２の調整固定摘み４２を締めれば（第２の調整固定摘みの本体４２ｂと垂直片３２の間隔を小さくすれば）、ＹＺ方向調整部材４０はＸ方向調整部材３３に対して、Ｙ方向及びＺ方向に移動不能となる。
【００１９】
図２乃至図４に示すように、Ｘ方向調整部材３３とＹＺ方向調整部材４０の左右両側面には、円柱形状の取付用突起４５、４６が突設されており、左側の取付用突起４５、４６同士の間、及び右側の取付用突起４５、４６同士の間には、図示を省略した上下方向を向く圧縮コイルばねの両端部が止着されており、ＹＺ方向調整部材４０を常時下向きに付勢している。
さらに、上述した左右の調整ねじ３７の上端部が、ＹＺ方向調整部材４０のランプ取付部３８の左右両端部の下面に当接している。このため、左右の調整ねじ３７の水平片３１からの突出量が同じとなるように調整ねじ３７の螺合量を調整すれば、ランプ取付部３８が水平状態を保ったまま、ＹＺ方向調整部材４０のＺ方向位置を調整することができる。
一方、左右の調整ねじ３７の突出量を異ならせれば、ランプ取付部３８の軸線がＹ方向に対して傾斜するので、ＹＺ方向調整部材４０の取付用凹部３８ａのＹ方向位置が変化する。
【００２０】
ランプリフレクター３０の内部には、前後方向を向く棒状のキセノンランプ（光源）４７が配設されており、その後端部に形成された雄ねじ状の電極４７ａは、挿通孔３０ａを通ってＹＺ方向調整部材４０の取付用凹部３８ａに螺合している。
従って、Ｘ方向調整部材３３のＸ方向位置を調整後に、第１の調整固定摘み３４を締め付ければ、キセノンランプ４７を所定のＸ方向位置に固定でき、さらに、調整ねじ３７の突出量を調整した後に、固定ねじ４１と第２の調整固定摘み４２を締めれば、キセノンランプ４７の軸線のランプリフレクター３０に対するＹＺ方向の位置を調整することができる。
【００２１】
このような構成からなるランプカートリッジ２０を、ランプハウス１９内に収納し、その貫通穴２１ａに挿通されたねじ４８を、ランプハウス１９の対応する取付片１９ａのねじ穴１９ｂに螺合することにより、光源装置１８が完成し、弾性支持片２８の接触片２８ｂが、温度センサＳの下面に形成された温度検知面に弾性接触する。
【００２２】
プロセッサ１５には、外部電源からキセノンランプ４７への電力の供給および遮断の切替を行うランプスイッチ（図示略）が設けられており、ランプスイッチをＯＮにすると、外部電源からキセノンランプ４７に電力が供給され、キセノンランプ４７が発光し、ランプスイッチをＯＦＦにすると、キセノンランプ４７が消灯する。
さらに、図７に示すように、上記の制御回路には、温度センサＳに接続されたリード線Ｌ５、Ｌ６が接続されており、温度センサＳが、接触片２８ｂの温度が予め定めた設定温度より高温になったことを検知すると、制御回路は外部電源からキセノンランプ４７（ランプ取付部３８）への電力の供給を遮断する。
【００２３】
さらに、プロセッサ１５の外面には、温度センサＳが働いてキセノンランプ４７が消灯したときに点灯する警告灯（図示略）が設けられている。
また、図示は省略してあるが、プロセッサ１５の内部には、キセノンランプ４７の発光中に、キセノンランプ４７及びランプリフレクター３０を冷却するためのファンが配設されている。
【００２４】
このような構成からなる内視鏡システムでは、電子内視鏡１０の光源差込用端部１６を、プロセッサ１５の差込穴に差し込むと、キセノンランプ４７の直前にライトガイドファイババンドル１７の入射端面が位置するので（図５参照）、この状態でランプスイッチをＯＮにしてキセノンランプ４７を発光させると、キセノンランプ４７から発せられた光が、ライトガイドファイババンドル１７を介して照明光学系に与えられ、挿入部１２先端の観察窓を介して得られる画像が、プロセッサ１５に接続されたテレビモニタ（図示略）に映し出される。
【００２５】
光源であるキセノンランプ４７は照度が高いため、キセノンランプ４７は使用中に仕様温度以上の高温になりやすく、さらに、キセノンランプ４７からの放射熱を受けるランプリフレクター３０も高温になりやすい。
しかし、本実施形態では、キセノンランプ４７が仕様温度以上となり、その結果、ランプリフレクター３０と接触している弾性支持片２８の接触片２８ｂが設定温度以上になったことを温度センサＳが検知すると、制御回路がキセノンランプ４７を消灯させるので、キセノンランプ４７が仕様温度以上の状態で発光し続けるのを確実に防止することができる。このため、キセノンランプ４７の寿命を延ばすことができ、しかも、キセノンランプ４７やランプリフレクター３０からの放射熱が、プロセッサ１５内に配設された画像処理回路や光学部品などの他の部材に悪影響を及ぼすことを防止できる。
【００２６】
さらに、弾性支持片２８が、ランプリフレクター３０の熱を温度センサＳに伝達するだけでなく、ランプリフレクター３０を把持する機能を兼用しているので、弾性支持片２８とは別個に、ランプリフレクター３０の熱を温度センサＳに伝達するための部材を設けた場合に比べて、部品点数の減少が図られている。
また、ランプリフレクター３０の中では、その上部部分が最も高温になりやすいが、このランプリフレクター３０の上部部分に、上部の弾性支持片２８を接触させているので、キセノンランプ４７が仕様温度以上になったことを素早く検出することが可能となっている。
【００２７】
なお、本実施形態では、光源としてキセノンランプ４７を用いたが、メタルハライドランプ等を用いることもある。
【００２８】
【発明の効果】
本発明によれば、光源装置に用いられている光源が、仕様温度以上の高温で発光し続けるのを確実に防止できる。
【図面の簡単な説明】
【図１】本発明の一実施形態の全体構造を示す外観図である。
【図２】ランプカートリッジを後方から見た斜視図である。
【図３】ランプカートリッジの一部を切り欠いた、図２とは異なる角度からみた斜視図である。
【図４】ランプカートリッジの平面図である。
【図５】ランプハウスにランプカートリッジを組み付けた状態の、縦断側面図である。
【図６】図５のＶＩ−ＶＩ線に沿う断面図である。
【図７】本実施形態の簡易電気回路図である。
【符号の説明】
１０    電子内視鏡（内視鏡）
１１    操作部
１２    挿入部
１２ａ  湾曲部
１３    湾曲操作装置
１４    ユニバーサルチューブ
１４ａ  コネクタ部
１５    プロセッサ
１６    光源差込用端部
１７    ライトガイドファイババンドル（ライトガイドファイバ）
１８    光源装置
１９    ランプハウス
１９ａ  取付片
１９ｂ  ねじ穴
１９ｃ  取付孔
２０    ランプカートリッジ
２１    底板
２１ａ  貫通穴
２１ｂ  案内溝
２１ｃ  取付孔
２２    前板
２２ａ  大径開口
２３    後板
２３ａ  小径開口
２３ｂ  取付孔
２４    上板
２５    基枠
２６    弾性支持片（弾性把持片）
２６ａ  当接片
２７    弾性支持片（弾性把持片）
２７ａ  当接片
２８    弾性支持片（弾性把持片）（導熱接片）
２８ａ  当接片
２８ｂ  接触片
２９    ねじ
３０    ランプリフレクター
３０ａ  挿通孔
３１    水平片
３１ａ  係合穴
３１ｂ  ねじ穴
３２    垂直片
３２ａ  円形穴
２３ｂ  長穴
３３    Ｘ方向調整部材
３４    第１の調整固定摘み
３４ａ  係合ピン
３４ｂ  本体
３５    スプリングワッシャ
３６    板ばね
３７    調整ねじ
３８    ランプ取付部
３８ａ  取付用凹部
３８ｂ  小径穴
３９    垂下片
３９ａ  ねじ穴
３９ｂ  係合穴
４０    ＹＺ方向調整部材
４１    固定ねじ
４１ａ  ねじ部
４１ｂ  頭部
４２    第２の調整固定摘み
４２ａ  係合ピン
４２ｂ  本体
４３    スプリングワッシャ
４４    板ばね
４５  ４６  取付用突起
４７    キセノンランプ（光源）
４７ａ  電極
Ｌ１  Ｌ２  Ｌ３  Ｌ４  Ｌ５  Ｌ６  リード線
Ｓ      温度センサ
【図１】
2004283235.tif 000003
【図２】
2004283235.tif 000004
【図３】
2004283235.tif 000005
【図４】
2004283235.tif 000006
【図５】
2004283235.tif 000007
【図６】
2004283235.tif 000008
【図７】
2004283235.tif 000009